(57)【要約】【課題】展開したイーゼルに載置し、簡便に装着が可能でスケッチブックやカンバス等の画材を安定して載置することができる画板を提供することを目的とする。【解決手段】展開されたイーゼル２０に載置される画板１であって、画板１の裏面に接合された装着部５と、装着部５に一端が係止される弾性材３と、弾性材３の他方端に係止される固定具４と、を有する固定機構８が装着され、弾性材３が装着部５に揺動可能に係止されることを特徴とする固定機構付き画板。【選択図】図１
2013043371.tif 000002
【特許請求の範囲】
【請求項１】
展開されたイーゼルに載置される画板であって、
前記画板の裏面に接合された装着部と、前記装着部に一端が係止される弾性材と、前記弾性材の他方端に係止される固定具と、を有する固定機構が装着され、
前記弾性材が前記装着部に揺動可能に係止されることを特徴とする固定機構付き画板。
【請求項２】
展開されたイーゼルに載置される画板であって、
前記画板の裏面に接合された装着部と、前記装着部に一端が係止されるワイヤーに移動自在に係止される調整手段とを具備する延長部と、前記調整手段に一端が係止される弾性材と、前記弾性材の他方端に係止される固定具と、を有する固定機構が装着され、
前記ワイヤーが前記装着部に揺動可能に係止されることを特徴とする固定機構付き画板。
【請求項３】
前記画板の裏面に装着される前記固定機構が、任意の位置に複数配置されていることを特徴とする請求項１または請求項２記載の固定機構付き画板。
【請求項４】
前記固定機構の前記装着部が、前記画板の裏面に着脱自在に装着されることを特徴とする請求項１乃至３いずれか１項に記載の固定機構付き画板。
【発明の詳細な説明】
【技術分野】
【０００１】
本発明はスケッチに使用する画板であって、イーゼルに装着してスケッチブックやカンバス等を載置することが可能な、弾性材とフック等の固定具を利用して簡便に着脱ができる固定機構を有した画板に関する。
【背景技術】
【０００２】
従来、野外でスケッチを行う際、気に入った場所で携帯用イーゼルを組み立て、その上にスケッチブック、カンバス、画板を載置しスケッチを行う。イーゼルに載置する画板は、小型軽量で簡便な装着及び脱着できる性能が求められている。市販されている木製のイーゼルでは、イーゼルに取付けられているボード受け及びボード抑えで構成された固定具で固定される。しかしイーゼルを持ち運ぶには重量や形状が大き過ぎて不便であるため、その代用としてカメラ用三脚等が良く利用され、カメラを取付ける雲台に固定する工夫がなされている。
【０００３】
例えば特許文献１には、図５に示すようにカメラ用三脚５０を利用したイーゼルでは、画板４０の裏面に薄い鉄板４１を設け、カメラ用三脚５０に取付けられている雲台５２には磁石を取付けた画板支持台５３を設けて画板４０の鉄板４１を吸着させ、雲台５２のハンドル５１を操作して画板４０の角度を調整できるスケッチ用イーゼル画板セットが開示されている。
【先行技術文献】
【特許文献】
【０００４】
【特許文献１】実用新案登録３１３９４６２号公報
【発明の概要】
【発明が解決しようとする課題】
【０００５】
しかし、従来の画板を固定する際、画板の両端に取付けた紐を首に下げて膝の上で画板を固定、或いは重いイーゼルのボード受け及びボード抑えで構成された固定具を利用して固定する方法がとられている。
【０００６】
また、カメラ用の三脚を利用したイーゼルの場合、画板はカメラ用の三脚専用となり、汎用性がなくなる問題がある。
【０００７】
本発明は以上の課題に着目し成されたもので、水彩等を使ったスケッチを気軽に野外で行えるように、特に殆どのイーゼルに装着が可能で、且つ簡便に着脱が可能で、画板裏面の中央部分に装着されたバネとワイヤーとフックで構成される固定機構により、イーゼルに載置した後、画板を固定してスケッチブックやカンバス等の画材を安定して載置することができる固定機構付き画板を提供することを目的とする。
【０００８】
更に、出願人が特許を取得したイーゼル（特許第４７４０４０２号）に装着することで、中央部分が拘束されたイーゼルの構造を利用して、展開したイーゼル上に固定機構付き画板を水平に装着し、イーゼル脚に固定機構で係止することでより安定した載置台を形成することができる。イーゼル上に載置された画板上に壺や花瓶や彫刻等の美術工芸品を置く天台としても利用可能な汎用性を有する固定機構付き画板を提供することを目的とする。
【課題を解決するための手段】
【０００９】
本発明は上述の目的を達成するため、以下（１）〜（４）の構成を備えるものである。
【００１０】
（１）展開されたイーゼルに載置される画板であって、前記画板の裏面に接合された装着部と、前記装着部に一端が係止される弾性材と、前記弾性材の他方端に係止される固定具と、を有する固定機構が装着され、前記弾性材が前記装着部に揺動可能に係止されることを特徴とする固定機構付き画板。
【００１１】
（２）展開されたイーゼルに載置される画板であって、前記画板の裏面に接合された装着部と、前記装着部に一端が係止されるワイヤーに移動自在に係止される調整手段とを具備する延長部と、前記調整手段に一端が係止される弾性材と、前記弾性材の他方端に係止される固定具と、を有する固定機構が装着され、前記ワイヤーが前記装着部に揺動可能に係止されることを特徴とする固定機構付き画板。
【００１２】
（３）前記画板の裏面に装着される前記固定機構が、任意の位置に複数配置されていることを特徴とする前記（１）または（２）記載の固定機構付き画板。
【００１３】
（４）前記固定機構の前記装着部が、前記画板の裏面に着脱自在に装着されることを特徴とする前記（１）乃至（３）いずれか１項に記載の固定機構付き画板。
【発明の効果】
【００１４】
本発明によれば、パステルや水彩等を使ったスケッチを気軽に野外で行えるように、特に画板が風で飛散しないようイーゼルに確実に固定することが可能で、且つ何処でも簡単に着脱が可能な画板を提供できる。載置された画板の裏面に装着された固定機構は、バネの一端に係止されている固定機能を有するフック、クリップ、紐体等の固定具をイーゼル脚に取付けることで、画板がバネの張力によりイーゼル上に固定され且つ安定した載置台を形成し、スケッチブックやカンバス等の画材を安定して載置できる。また画板の角度もイーゼル脚の延長機能に対応して簡単に変更できる固定機構付き画板を提供することができる。
【００１５】
また、画板裏面に装着されるリング、バネ、ワイヤー、フック等で構成される固定機構は、フック等の固定具を展開したイーゼル脚に取付けることで、バネの張力で画板とイーゼルが相互に補完し合う固定効果が得られることで、壺や花瓶、彫刻等の美術工芸品を置く天板として利用可能な汎用性を有する固定機構付き画板を提供することができる。
【図面の簡単な説明】
【００１６】
【図１】（ａ）本実施例に係る固定機構付き画板の斜視図、（ｂ）固定機構付き画板を市販のイーゼルに装着した状態を示す図、（ｃ）固定具の種類を示す図
【図２】（ａ）画板裏面にねじによる装着部の取付けを示す図、（ｂ）画板裏面に接着剤による装着部の取付けを示す図
【図３】（ａ）固定機構付き画板をイーゼルに載置した状態を示す図、（ｂ）イーゼル脚を延長して画板を傾斜させて載置した状態を示す図、（ｃ）固定機構のフックを係止するイーゼル脚に移動可能に装着できる可動リングを示す図
【図４】（ａ）画板のサイズにより固定機構を複数設置した例を示す図、（ｂ）固定機構の長さを調整可能にした例を示す図
【図５】従来の画板を示す図
【発明を実施するための形態】
【００１７】
以下、本発明を実施するための形態を、図面に基づいて詳しく説明する。
【実施例】
【００１８】
図１（ａ）は本実施例に係る固定機構付き画板１０の構成図で、図１（ｂ）は市販のイーゼル２０上に固定機構付き画板１０を装着した状態を示すもので、図１（ｃ）は固定具４の種類を示すものである。図１（ａ）に示す画板１の裏面に形成される固定機構８は、画板１に接合された装着部５に設けられた係止穴５ａに固定リング２を取付け、当該固定リング２に弾性材のバネ３の一端が係止され、更にバネ３の他方の端部には、イーゼルの脚等に引掛けて係止する固定具４のフック４ａから構成されている。
【００１９】
画板１の裏面に接合される装着部５の係止穴５ａには、ワイヤー或いは鋼線を環状に形成した固定リング２が、固定具４のフック４ａの係止位置に対応してバネ３が自由に動けるように揺動可能に取付けられている。尚、画板１の裏面に固定機構８を接合する位置は、画板裏面の中央部分に限定するものではなく、任意の位置に配置しても良い。
【００２０】
画板１の裏面には、特に出願人が特許を取得したイーゼル（特許第４７４０４０２号）に載置する際の目印として、イーゼル３０（図３）用の位置決め線１２が水平方向と垂直方向に夫々三本の線が引かれ、展開したイーゼル脚３１，３２，３３の上部先端部を、位置決め線１２の最適な位置に配置して画板１のバランスを取るための目印としている。
【００２１】
図１（ｂ）に示す市販されているイーゼル２０の受台２４に載置した場合、固定機構付き画板１０は、画板裏面の固定リング２に一端を係止されるバネ３に引張コイルバネを使用することで、固定具４のフック４ａをイーゼル２０の後脚２２を保持する開脚棒２５に係止しバネ３を引き伸ばした際に、画板１を引張コイルバネの張力でイーゼル２０の前脚２１，２３に押し付けて固定する機能を有している。この引張コイルバネの張力の強さを適切に選定することで、画板１を固定する押圧力を変えることができる。尚、弾性材として本実施例で示したバネ３の代わりに、軽量で低コストである天然或いはシリコンゴム等の樹脂製の帯状や環状のゴム材を使用しても良い。
【００２２】
図１（ｃ）に示すように、画板１を固定するためバネ３の先端に取付けられた固定具４には、本実施例に示したフック４ａの他に、イーゼル２０の構造に対応してイーゼル２０の脚等を挟んで固定するクリップ４ｂや、イーゼル２０の後脚等に縛りつけて固定するロープ、結束バンド等の紐体４ｃであっても良く、本実施例で図示した鉤状のフック４ａに限定するものでは無い。
【００２３】
図２は固定機構付き画板１０において、画板１の裏面に接合される装着部５の接合方法の例を示している。現在、画板１の材質には、重量のある木製パネルや軽量のプラスチックパネル或いは紙製パネル等、多種多様な画板が市販されている。いずれの場合も、画用紙等の画材を載せる画板１の表面は、凹凸のない平坦面が要求されるため、表面に影響が出ないようにするための画板１の裏面に接合される装着部５の接合方法が問題となる。また画板１と装着部５との接合部分が、不用意に剥がれることのないよう安全且つ確実に接合するために、画板１の種類に応じて装着部５の接合方法が選択される。
【００２４】
図２（ａ）は厚みのある木製或いはプラスチック等の画板１に用いる接合方法で、画板１の裏面に穿孔した下穴１５に埋め込みナット１６を取付け、装着部５をねじ１４で接合する方法を示すもので、装着部５は着脱可能である。固定機構付き画板１０において、埋め込みナット１６を挿入し固定するには、画板１にある程度の厚みが必要なため画板１の重量は重くなるが、画板１の裏面に固定機構８の装着部５を安全で確実に固定することができる。
【００２５】
図２（ｂ）は固定機構付き画板１０が比較的薄い画板１の場合の接合方法で、接着剤１７を画板１の接合部分、或いは装着部５の接合面に塗布して貼り合わせる接合方法である。例えば市販されているエポキシ系の接着剤等には、一度接着させると剥離させることが殆どできない程の接着力を有する接着剤１７や、金属とプラスチック等を接着できる製品も市販されており、これら市販の接着剤１７を利用して、薄い画板１の裏面に固定機構８の装着部５を接合する方法で、安価で確実な接合方法である。
【００２６】
野外のスケッチや旅行等に携帯する固定機構付き画板１０の場合、小型で軽量の画板１が求められるため、画板１に装着される固定機構８は、接着剤１７による接合方法が主となるが、張力が比較的弱い弾性材を使用する場合には、接合部に面ファスナを貼り付けて着脱できる固定機能８を構成しても良い。尚、使用する接着剤１７は画板１の素材や、固定機構８のバネ３の強さにより選択されるため、使用する接着剤１７の種類を限定しない。
【００２７】
図３は出願人が特許を取得しているイーゼル３０（特許第４７４０４０２号）に、本実施例の固定機構付き画板１０を装着した例である。図３（ａ）に示すように、イーゼル脚３１，３２，３３を展開し、画板１の裏面を三点支持した状態で中心拘束部材の開口制限リング３５に固定具４のフック４ａを引掛けて係止している。固定機構付き画板１０に接合された固定機構８のバネ３の張力が、イーゼル３０のイーゼル脚３１，３２，３３に均等に加わるため、中心拘束部材の固定クランプ３４と開口制限リング３５の固定機能が加わり、画板１を載置した状態が最も安定した構造となるように構成される。
【００２８】
また、固定機構付き画板１０のバネ３による張力が、イーゼル３０の中央拘束部材との間に加わることで、画板１の押圧がイーゼル脚３１，３２，３３を開脚させるように働き、中心拘束部材の効果でより強固にイーゼル脚３１，３２，３３を固定し、イーゼル３０と画板１とが一体化して最も安定した構造となる。
【００２９】
図３（ｂ）は、イーゼル脚３２に延長脚３２ａを接続して延長し、画板１を傾斜した状態で載置した状態を示している。傾斜した状態で載置しても、固定機構付き画板１０のバネ３による張力が画板１の押圧として作用し、イーゼル３０と画板１とを一体化させ安定した固定ができる。
【００３０】
図３（ｃ）は、イーゼル３０に載置した固定機構付き画板１０において、固定機構８の固定具４の係止法としてイーゼル脚に引掛ける場合の他に、付属金具を用いた係止法を示すものである。イーゼル脚３１の軸方向に移動が可能なスライド金具１１を装着し、イーゼル脚３１の任意の位置に固定されたスライド金具１１のリング１１ｃに、固定具４のフック４ａを係止する方法である。スライド金具１１の構造は、調整ノブ１１ａが付いた環状に巻かれている連結帯１１ｂに固定具４を係止するリング１１ｃを通した構造で、スライド金具１１を係止する位置により、固定機構８のバネ３の張力を調整する機能を備えた構造となっている。調整ノブ１１ａを回して連結帯１１ｂを緩め、イーゼル脚３１の任意の位置まで移動させた後、再度調整ノブ１１ａを回して連結帯１１ｂを締め込むことでイーゼル脚３１に固定することができる。画板１のサイズにより固定機構８を複数取付ける場合は、スライド金具１１を単独、或いはバランスを考慮して各イーゼル脚３１，３２，３３に複数装着しても良い。
【００３１】
固定機構付き画板１０の他の構成例について説明する。
【００３２】
図４（ａ）は固定機構付き画板１０の画板１のサイズにより、画板１の裏面の三箇所に固定機構８を配置して、サイズの大きい画板１でも安定して固定するための構成を示している。イーゼル３０にサイズの大きい固定機構付き画板１０を載置した際、安定して固定するために、複数の固定機構８の配置を対角線上に配置することも可能で、固定機構８を任意の位置に必要な数だけ配置できる構成となっている。
【００３３】
図４（ｂ）は、画板１を高さのあるイーゼルに対応して延長機能を付加した固定機構付き画板１０である。イーゼルの高さに対応し、必要な長さを有するワイヤー６と、当該ワイヤー６の任意の位置に係止して長さを調整するロック金具７の延長部と、ロック金具７に形成されたロックフック７ａに弾性材のバネ３の一端を取付け、バネ３の他方の端部に固定具４のフック４ａを取付けた新な構成の固定機構９である。
【００３４】
例えば図３に示すイーゼル３０において、固定機構付き画板１０を壺や花瓶や彫刻等の美術工芸品を置く天台として利用する場合、イーゼル脚３１，３２，３３が長く高い位置に画板１を設置するには、図１（ａ）に示した延長機能のない固定機構８ではバネ３を長い構造にする必要があるが、バネ３の重量が増え重くなる問題が発生する。そのため図１（ａ）に示す固定機構８に、イーゼル３０に載置するのに必要な長さを有するワイヤー６と、当該ワイヤー６の長さを調整し任意の位置に係止できるロック金具７を追加し延長機能を備える延長部を設けることで、高さの異なるイーゼルにも柔軟に対応して載置できる構成の固定機構９となっている。
【００３５】
延長部のロック金具７には、市販されている「ワイヤーロック」（登録商標）等のワイヤー６をボールベアリングで挟み込んで係止し、更に弾性材のバネ３の一端を係止するためのロックフック７ａが付いた構造のロック金具７を使用しても良い。また、固定機構付き画板１０は、画板１のサイズが大きい場合等には図４（ａ）に示すように、固定時のバランスを考慮して固定機構９を複数配置した構成であっても良い。固定機構９の延長部以外の構成は、固定機構８と同一のため説明は省略する。
【００３６】
以上、市販されている殆どのイーゼルに装着が可能で、且つ簡便に着脱が可能な画板であって、画板裏面に装着された弾性材と固定具、更に延長機能有する構成の固定機構により、イーゼルに載置された画板を確実に固定してスケッチブックやカンバス等の画材を安定して載置することができる固定機構付き画板を提供することができる。
【符号の説明】
【００３７】
１      画板
２      固定リング
３      バネ（弾性材に対応）
４      固定具
４ａ    フック
４ｂ    クリップ
４ｃ    紐体
５      装着部
６      ワイヤー（延長部に対応）
７      ロック金具（調整手段及び延長部に対応）
８      固定機構
９      固定機構
１０    固定機構付き画板
１１    スライド金具
１２    位置決め線
１４    ねじ
１５    下穴
１６    埋め込みナット
１７    接着剤
２０    イーゼル
２１    前脚
２２    後脚
２３    前脚
２４    受台
２５    開脚棒
３０    イーゼル
３１    イーゼル脚
３２    イーゼル脚
３３    イーゼル脚
３４    固定クランプ
３５    開口制限リング
４０    画板
４１    鉄板
５０    カメラ用三脚
５１    ハンドル
５２    雲台
５３    画板支持台
【図１】
2013043371.tif 000003
【図２】
2013043371.tif 000004
【図３】
2013043371.tif 000005
【図４】
2013043371.tif 000006
【図５】
2013043371.tif 000007